(57)【要約】【課題】メンテナンスの負担を低減することが可能で材料の切断成功率の向上を確保することも可能な材料、具体的には弾性材料、より具体的には弾性糸をウェブから切り取る手段および方法を提供することである。【解決手段】伸縮性ウェブの未付着弾性部分が把持され、伸縮性ウェブを送出するために支持面より上に上げられる。この上げられた部分は、支持面に垂直な方向にブレードの下で動いている支持面から離隔されたままであるように、上げられた弾性層の厚さを通って自由空間に突出するように配置されたナイフブレードと接触させられる。この上げられた弾性層は、その上に弾性層が走行する上昇要素によってナイフブレードで切り取る間、上げられた状態で保持される。把持手段は、未付着部分を、ピンと張った状態でクロス機械方向に切断される状態にしておく。したがって、弾性層は上昇要素および把持手段の両端にまたがる。ナイフブレードは、弾性層のまたがられたパーツに沿って弾性層の厚さを通って自由空間へと延びる。【選択図】図９
2018138220.tif 000002
【特許請求の範囲】
【請求項１】
吸収性物品を製造する方法においてウェブから材料を切り取る方法であって、
前記ウェブを送出し、前記ウェブを支持面に対して保持するステップと、
前記ウェブが送出され、前記支持面に対して保持されるにつれて、切り落とされるべき材料を、前記支持面から上昇された位置に保持するステップと、
前記ウェブから前記上昇された材料を前記支持面から離隔されたナイフブレードにより切り取るステップと
を含む、方法。
【請求項２】
切り落とされるべき前記材料が前記ウェブに付着された弾性層の一部である、請求項１に記載の方法。
【請求項３】
前記ナイフブレードが、前記支持面に向かって前記上昇された材料の厚さ方向に前記上昇された材料を越えて突出するが前記支持面からまだ離隔されている、請求項１または２に記載の方法。
【請求項４】
上昇要素が、前記支持面より上に上昇された前記材料を保持するために使用され、したがって、前記ナイフブレードが前記上昇要素の上に配置されると、前記ナイフブレードが前記上昇された材料を切る、請求項１、２、または３のいずれか一項に記載の方法。
【請求項５】
前記上昇された材料が前記上昇要素に対してピンと張った状態に保持され、したがって、前記ナイフブレードが前記ピンと張った上昇された材料を切る、請求項４に記載の方法。
【請求項６】
前記ウェブが、機械方向における前記支持面の対応する動きによって機械方向に送出される、請求項１から５のいずれか一項に記載の方法。
【請求項７】
前記支持面が前記上昇要素に対して機械方向に動く、請求項４または５に記載の方法。
【請求項８】
前記ナイフブレードで切り取る間に前記材料をピンと張った状態に保つように、前記材料が、前記支持面と共に動く把持手段によって把持されるかまたは前記支持面と共に動くクランプ手段によって挟み付けられる、請求項１から７のいずれか一項に記載の方法。
【請求項９】
前記上昇要素に対してピンと張った状態で前記ナイフブレードで切り取る間に前記材料をピンと張った状態に保つように、前記材料が、前記支持面と共に動く把持手段によって把持されるかまたは前記支持面と共に動くクランプ手段によって挟み付けられる、請求項４、６、または７のいずれか一項に記載の方法。
【請求項１０】
前記上昇された材料が、前記支持面から前記材料をピンと張るように上昇するために、第１の上昇要素および第２の上昇要素にまたがり、それによって、前記ナイフブレードが前記上昇された材料を切り取るように前記上昇要素同士の間に配置される、請求項１から９のいずれか一項に記載の方法。
【請求項１１】
前記支持面からの前記材料の上昇を実行するための上昇要素が、前記材料がそれより上を移動するとき前記ウェブがその下を移動可能であるように配置され、それによって前記ウェブから前記材料を上昇し、したがって、前記材料が前記ナイフブレードによって切り落とすことができる、請求項１から１０のいずれか一項に記載の方法。
【請求項１２】
前記ウェブが、前記支持面から前記材料を上昇するための上昇要素および把持手段の下に配置されて移動し、それによって、前記把持手段および前記上昇要素が、前記支持面に対して上昇された位置に前記材料を保持し、前記把持手段が前記上昇要素に対して前記材料をピンと張った状態に保ち、前記ナイフブレードが、前記支持面およびその下にある前記ウェブからまだ離隔されたままである前記材料を切り開くように、前記上昇要素と前記把持手段の間でクロス機械方向に配置され、それによって前記把持手段および前記支持面が前記ナイフブレードに対して機械方向に対応して動き、その結果、前記材料および前記ウェブが機械方向に動くとき、前記上昇された材料が前記ウェブから切り落とされ、したがって、前記ウェブが前記ナイフブレードと接触する、請求項１から１１のいずれか一項に記載の方法。
【請求項１３】
吸収性物品を製造する方法において伸縮性ウェブを製造する方法であって、前記伸縮性ウェブが、前記伸縮性ウェブの機械方向すなわち長手方向に互いに分離された別個の弾性部分を有し、前記方法が、
機械方向に支持面上に支持された第１のウェブを送出するステップと、
前記第１のウェブに沿って前記機械方向に波状経路を画定するように、前記第１のウェブに弾性層を部分的に付着するステップと、
前記弾性層の未付着部分を把持するステップと、
前記未付着部分を支持面から上昇した状態にしておくステップと、
前記弾性層の前記未付着部分が、把持され、上昇され、前記第１のウェブと共に前記機械方向に動く間、前記支持面からまだ離隔されている前記支持面に向かって前記弾性層の前記上昇された部分の厚さを通って突出するナイフブレードを使用して、前記弾性層の前記未付着部分を切り取り、それによって、前記弾性層を互いに前記機械方向に分離された別個の部分に切断するステップと
を含む方法。
【請求項１４】
第２のウェブが、前記第１のウェブと前記第２のウェブとの間に前記弾性層の付着部分を挟むように、かつ前記未付着部分が、把持され、上昇され、および切り落とされるべく積層体からクロス機械方向に突出するように、前記第１のウェブに積層される、請求項１３に記載の方法。
【請求項１５】
前記弾性層が、前記吸収性物品の脚部弾性体を形成するための複数の隣接する弾性糸の形をとる、請求項１３または１４に記載の方法。
【請求項１６】
前記伸縮性ウェブが、吸収性物品の前面ウエスト領域、背面ウエスト領域、またはその両方を形成するために使用され、したがって、前記別個の弾性部分が前記吸収性物品のための脚部弾性体を形成して、それによって吸収性物品が製造される、請求項１３、１４、または１５のいずれか一項に記載の方法を含む方法。
【請求項１７】
ウェブから材料を切り取るための装置であって、
動く支持面に対して保持された前記ウェブを機械方向に送出するための動く支持面と、
前記ウェブに付着されたまたはその一部である材料を前記支持面から上昇するための上昇要素と、
前記上昇された材料が前記上昇要素によって前記上昇された位置に保持されると、前記上昇された材料の厚さを通って突出するが前記支持面からまだ離隔されており、それによって前記ウェブから材料を切り取るように配置されたナイフブレードと
を備える装置。
【請求項１８】
切断されるべき前記材料を前記動くウェブに対して固定された位置に保持するため、および前記上昇要素に対してピンと張った前記材料を前記上昇された位置に保ち、それによって、前記ナイフブレードが前記ピンと張った上昇された材料を切り開くために把持手段と前記上昇要素の間に配置されるための把持手段を備える、請求項１７に記載の装置。
【請求項１９】
弾性層が前記機械方向に延びてクロス機械方向に波打って波状経路をたどるように、および前記波状経路の第１のクロス機械方向パーツが前記ウェブに付着され、前記波状経路の第２のクロス機械方向パーツが前記ウェブに付着されず、それによって前記上昇要素が前記弾性層の未付着パーツを上昇するように配置され、前記ナイフブレードが前記ウェブから前記弾性層の前記上昇された、未付着パーツを切り取るように配置され、それによって、前記機械方向に互いに分離された別個の弾性部分を形成するように、第１のウェブに前記弾性層を部分的に付着する弾性層アプリケータをさらに備える、請求項１７または１８に記載の装置。
【請求項２０】
第１のウェブである前記ウェブおよび第２のウェブを１つにするように構成された第２のウェブ送出機構と、前記第１のウェブと前記第２のウェブとの間に前記弾性層を挟んだ積層体を形成し、それによって前記弾性層の前記未付着パーツが前記積層体からクロス機械方向に突出するラミネータとを備える、請求項１９に記載の装置。
【請求項２１】
前記第１のウェブと前記第２のウェブの間に挟まれた前記弾性層の付着パーツと前記ナイフブレードによって切り取られた前記未付着パーツとを有し、それを少なくとも吸収性物品の前面ウエスト領域または背面ウエスト領域に変換し、したがって前記別個の弾性部分同士間の前記機械方向の空間が、吸収性物品の前記少なくとも前面ウエスト領域または背面ウエスト領域の股領域を受け入れる吸収性の芯に作製され、前記吸収性の芯の両側の前記弾性部分が前記吸収性物品の前記少なくとも前面ウエスト領域または背面ウエスト領域のそれぞれの脚部開口のための脚部弾性体を形成する前記第１のウェブおよび前記第２のウェブの前記積層体を受け取るコンバータを備える、請求項２０に記載の装置。
【請求項２２】
前記支持面が回転ドラムの外面によって形成される、請求項１７から２１のいずれか一項に記載の装置。
【請求項２３】
切り取られるべき前記材料が、その厚さを前記ウェブおよび前記支持面からまだ離隔されたままである前記上昇された材料の厚さを通って突出するように配置された前記ナイフブレードで切り開くために、前記ウェブおよび前記支持面に対して上昇された位置に保持されるように前記上昇要素の上に配置されると、前記上昇要素が、前記ウェブが前記上昇要素の下に配置されて前記支持面に対して保持されるままであることが可能であるように前記支持面に対して配置される、請求項１７から２２のいずれか一項に記載の装置。
【請求項２４】
前記上昇要素が、切り取られるべき前記材料が前記上昇要素に対して前記機械方向に動くように前記支持面に対して前記機械方向に固定される、請求項２３に記載の装置。
【請求項２５】
前記ナイフブレードが、前記ウェブと共に機械方向に動く前記上昇された材料の動きの方向に対して逆の回転方向に回転される、請求項１から１６のいずれか一項に記載の方法。
【請求項２６】
前記ナイフブレードを円周面付近に設ける回転カッタを備え、前記回転カッタが、前記ウェブおよび前記上昇された材料の前記動きに対して逆方向に回転するように設定され、前記ウェブおよび前記上昇された材料は一緒に前記機械方向に動く、請求項１７から２４のいずれか一項に記載の装置。
【発明の詳細な説明】
【技術分野】
【０００１】
本発明は、ウェブから材料を切り取るための方法および装置に関する。より詳細には、本発明は、第１のウェブに付着された弾性層をこの第１のウェブから切り取ることに関する。さらにより詳細には、本発明は、第１のウェブから弾性糸を切り取ることに関し、この弾性糸は、波状（ｕｎｄｕｌａｔｉｎｇ）形状で第１のウェブに沿って配置され、したがって、切り取られた部分を取り除くとき、機械方向に分離された別個の部分に弾性ストランドが配置される。結果として生じるウェブは、失禁パンツ、乳児用おむつ、および幼児用おむつなどの吸収性物品の製造に使用することができる。弾性層または弾性糸は、最終的には、吸収性物品の脚部弾性体を形成することができる。
【背景技術】
【０００２】
国際公開第２０１０／１２６４１５号は、機械内でまたは伸縮性ウェブの長手方向で分離された別個の弾性糸部分を有する伸縮性ウェブを製造する方法および装置を開示する。結果として生成される伸縮性ウェブは、吸収性物品の前面ウエスト領域または背面ウエスト領域に形成されるように開示されており、弾性糸は、前面ウエスト領域または背面ウエスト領域の脚部弾性体を形成する。機械方向において弾性糸部分同士が分離されていることにより、吸収性物品の横方向に弾性糸のない吸収性物品内の股部分が形成される。これは多くの場合に望ましい。
【０００３】
本出願の図１から図５は、国際公開第２０１０／１２６４１５号から選択した図を再現したものであり、本発明の背景を理解し本発明の好ましい適用例を理解する際の助けとして以下で詳細に説明する。
【０００４】
図１を参照すると、機械方向ＭＤに送出されている第２のウェブ２００および第１のウェブ３００が開示されている。好ましくは２、３、またはそれ以上の弾性糸の群である少なくとも１つの弾性糸５００も機械方向に送出され、弾性糸５００は、機械方向に延びる波が、クロス機械方向ＣＤに行き来する波状パターンを形成するように、第２のウェブ２００上に配置される。弾性糸５００の群は、接着剤２５０の噴射を使用して第１のウェブに付着される。弾性糸５００の群の波状パターンおよび配置は、弾性糸５００の群の一部分が第２のウェブ２００のクロス機械方向ＣＤ縁部２０３および第１のウェブ３００のクロス方向ＣＤ縁部３０３から突出するようになっている。したがって、弾性糸５００の群は、重複部分として配置され、第２のウェブ２００の縁部２０３および第１のウェブ３００の縁部３０３から突出する部分によって、機械方向ＭＤに分離された第２のウェブ２００に付着される。伸縮性ウェブ３００を吸収性物品に製造するとき、弾性糸の付着部分は、吸収性物品の第１の脚部弾性体および第２の脚部弾性体を形成する。弾性糸５００の未付着部分は第２のウェブ２００から切り取ることができ、したがって、付着部分は、機械方向に互いに分離され、接続されていない弾性糸の別個の部分になる。弾性糸５００の隣接する付着部分間を機械方向ＭＤに分離することによって、弾性糸５００からの吸収性の芯３を装着するための場所が得られる。
【０００５】
弾性糸５００の未付着部分は回転刃６０５を使用して切り取られ、回転刃６０５は図２の方がよく見ることができる。従来技術の弾性切取り手段のさらなる詳細を以下に詳述する。
【０００６】
図１を引き続き参照すると、第１のウェブ３００は、第２のウェブ２００の上に配置されるように送出され、弾性糸５００の付着部分を挟むように、第２のウェブ２００に積層され、さらに、回転カッタ６０５を使用して切り取るために、未付着部分を第１のウェブおよび第２のウェブ３００、２００の積層体から突出させたままにしておく。第１のウェブおよび第２のウェブ３００、２００の積層体ならびに別個の弾性糸部分は伸縮性ウェブ１００を形成し、その後、伸縮性ウェブ１００は、吸収性物品の前面ウエスト領域または背面ウエスト領域に形成され得る。
【０００７】
伸縮性ウェブ１００から吸収性物品を製造するために、第２のこのような伸縮性ウェブ１００を第１の伸縮性ウェブ１００と平行に置くことが可能であり、この第１の伸縮性ウェブ１００は、図３に示すように第２の伸縮性ウェブ１００からクロス機械方向にまだ離隔されている。さらなるウェブ９００は、第１の伸縮性ウェブ１００と第２の伸縮性ウェブ１００の間のクロス機械方向の空間を埋めて、第１の伸縮性ウェブ１００と第２の伸縮性ウェブ１００を互いに接続することができる。同様に、吸収性の芯１３０は、第１のウェブ１００および第２のウェブ１００にクロス機械方向に重なって、第１の伸縮性ウェブ１００と第２の伸縮性ウェブ１００の間の空間を埋めることができる。ウェブ吸収性物品１００、９００、１３０を別個の吸収性物品に分離するためにクロス機械方向の切れ目Ｃを作製することができ、斜線領域Ｓを打ち抜くことによって脚部の穴を作製し、吸収性の芯１３０によって覆われる領域を除いて脚部の輪郭をたどる脚部弾性体を有する脚部の輪郭を提供することができる。
【０００８】
本出願の図２を参照すると、弾性糸の突出している部分を切り取るための装置および方法をより十分に理解することができる。見て分かるように、第２のウェブ２００、第１のウェブ３００、および弾性糸５００は共に、ニップ４００でローラの間に挟まれる。この段階で、積層体は、まだ切り取られていないその側縁部から突出した、弾性糸の未付着部分を有する。弾性糸５００の突出した、未付着部分は第１のベルト４０１と第２のベルト４０２の間に把持される。これは、おそらく図１の方がはっきりと示されている。したがって、弾性糸５００の突出している未付着部分は、クロス機械方向および機械方向ＭＤに所定の位置に保持され、その結果、これらの部分はピンと張った状態に保持され、切取りプロセス中に管理可能である。第１のウェブ３００および第２のウェブ２００の積層体ならびに弾性糸５００は、積層体に支持面を提供するため、および回転カッタ６０５を通過した積層体を送出するために、回転ドラム６２０の外面に対して保持される。図２から分かるように、第１のベルト４０１および第２のベルト４０２はドラム６２０の外面の動きに対応して動くように構成され、したがって、弾性糸５００の突出している部分は、積層体２００、３００、５００に対して固定した関係で保持される。
【０００９】
積層体２００、３００、５００がドラム６２０の外面に対して保持され、弾性糸５００の突出している部分が第１のベルト４０１と第２のベルト４０２の間に把持される場合、回転カッタ６０５は、弾性糸５００の未付着部分を切り取り、それによって、積層体１００に機械方向に分離された弾性糸の別個の部分を提供するために、積層体２００、３００、５００の縁部で弾性糸５００の突出している部分を切り開くようにドラム６２０の外面に対して押し付けられる。
【先行技術文献】
【特許文献】
【００１０】
【特許文献１】国際公開第２０１０／１２６４１５号
【特許文献２】英国特許第２３２２８２２号明細書
【発明の概要】
【発明が解決しようとする課題】
【００１１】
従来技術の切り抜き配置に関して少なくとも２つの課題が判明している。第１の課題は、回転カッタ６０５のブレードとドラム６２０の外面との間で係合することにより、ブレードの鋭利さが低下する傾向があり、ブレードを鋭利にするための比較的頻繁なメンテナンスまたはブレードの比較的頻繁な交換が必要であることである。その他の課題は、ドラム６２０がカッタ６０５のブレードを受け入れるための弾性裏打ち面（ｅｌａｓｔｉｃ  ｂａｃｋｉｎｇ  ｓｕｒｆａｃｅ）を備えている場合でも、弾性糸５００の変形性により弾性糸５００が時折切断されない傾向があることである。したがって、本発明の１つの目的は、メンテナンスの負担を低減することが可能で材料の切断成功率の向上を確保することも可能な材料、具体的には弾性材料、より具体的には弾性糸をウェブから切り取る手段および方法を提供することである。
【００１２】
国際公開第２０１０／１２６４１５号に開示されている吸収性物品の製造に使用するための伸縮性ウェブを製造するための代替の方法および装置について、本出願の図４および図５を参照して説明する。
【００１３】
図４および図５の方法および装置では、図１から図３の方法および装置と同様に第１の伸縮性ウェブおよび第２の伸縮性ウェブを別々に形成して架橋ウェブ９００によって接続することを必要とせずに吸収性の芯１３０および適切なクロス方向切断ステップおよび打抜き（ｓｔａｍｐｉｎｇ  ｏｕｔ）ステップの追加によって吸収性物品に製造することが可能な単一の伸縮性ウェブを形成する。
【００１４】
より具体的には、第２のウェブ２００および第３のウェブ７００が並んだ関係でニップ４００に送出され、ニップ４００において、第２のウェブ２００および第３のウェブ７００が第１のウェブ３００に積層される。第２のウェブ２００と第１のウェブ３００の間に挟まれるのは、図１を参照して上記で示したように第２のウェブ２００に付着され波状パターン５００で配置された、少なくとも１つの第１の弾性糸または弾性糸５００の第１の群である。同様に、少なくとも１つの第２の弾性糸または弾性糸５０２の第２の群が、第３のウェブ７００と第１のウェブ３００の間で、機械方向に沿って延びてクロス機械方向ＣＤに波状である経路の中に挟まれる。第２のウェブ２００および第３のウェブ７００はクロス機械方向に互いに分離される配置で第１のウェブ３００に積層され、したがって、第１のウェブ３００は中央区域でクロス機械方向ＣＤに露出される。図１から図３を参照して上記で説明した方法および装置と同様に、第１の弾性糸５００および第２の弾性糸５０２は、それぞれ第２のウェブ２００と第１のウェブ３００との間および第３のウェブ７００と第１のウェブ３００との間に挟まれる部分において、第１のウェブ３００に部分的に付着される。
【００１５】
第２のウェブ２００および第１のウェブ３００の積層体から突出する第１の弾性糸５００の未付着部分もあり、第３のウェブ７００および第１のウェブ３００の積層体から突出する弾性糸５０２の未付着部分もある。弾性糸５００、５０２のこれらの未付着の突出している部分は、互いに機械方向に分離される弾性糸５００、５０２の別個の部分を結果として生成される伸縮性ウェブ１００に提供するために切り取ることができる。したがって、結果として生成される伸縮性ウェブ１００の機械方向に延びる弾性糸５００の第１の別個の部分の行および第２の弾性糸５０２の別個の部分の第２の行が提供され、第１の行および第２の行は互いにクロス機械方向に別個であり、図５で分かるように、弾性糸５００、５０２は互いと機械方向に位置合わせされる別個の部分のように配置される。未付着部分は、第１のウェブ３００の中心領域でクロス機械方向ＣＤに互いに向かって突出し、第２のウェブ２００および第３のウェブ７００のクロス機械方向の分離が位置決めされる。
【００１６】
弾性糸５００、５０２の突出している、未付着部分を切り取るために、切取り操作を実行することが可能である。図１から図３を参照して開示される装置および方法と同様に、第１の弾性糸５００の未付着の突出している部分は、第１のベルト４０１と第２のベルト４０２の間に把持され、ウェブ２００、３００、７００の積層体と共にプレスカッタ６０５を通過して移動するにつれて、ピンと張った状態に保持されることになる。第１のベルト４０１および第２のベルト４０２はそれぞれ第１のウェブ３００の上面および第１のウェブ３００の下面上に配置され、第１の弾性糸５００の未付着部分と第１のウェブ３００の両方が第１のベルト４０１と第２のベルト４０２の間に保持される。ウェブ２００、３００、７００の積層体は、第１の弾性糸５００の突出している部分を切り開くためにプレスカッタ６０５のブレードが押すことができる支持面として作用するようにドラム６２０の外面に対して保持される。第２のこのような切断機構６０５’が、第２の弾性糸５０２の突出している部分を切断するために、クロス機械方向に第１の切断機構６０５に隣接して設けられる。さらにまた、ウェブ２００、３００、７００の積層体はドラム６２０の外面に対して保持され、突出している部分および第１のウェブ３００は第２のプレスカッタ６０５’によって切り取られるとき、突出している部分および第１のウェブ３００は第３のベルト４０３と第４のベルト４０４の間に把持される。第１のプレスカッタ６０５のように、第２のプレスカッタ６０５’は、第２の弾性糸５０２を切り開くようにそのブレードがドラム６２０の外面に対して押し付けられるように配置される。
【００１７】
結果として生成される伸縮性ウェブ１００は、弾性糸の別個の部分間に吸収性の芯１３０を伸縮性ウェブ１００の機械方向に取り付け、伸縮性ウェブをＣにおいてクロス機械方向に切断し、材料を打ち抜いて、脚部の輪郭をＳにおいて形成することによって、別個の吸収性物品に製造することができる。別個の弾性部分の第１の列は、結果として生成される吸収性物品の前面ウエスト領域および背面ウエスト領域のうちの一方のための脚部弾性体を形成し、別個の弾性部分の第２の列は、結果として生成される吸収性物品の前面ウエスト領域および背面ウエスト領域の他方ための脚部弾性体を形成する。伸縮性ウェブが切断され、別個の吸収性物品にさらに形成されると、伸縮性ウェブ１００の機械方向に隣接する別個の部分は、最終的に、左脚部および右脚部のための脚部弾性体をそれぞれ形成する。
【００１８】
図４および図５の製造方法は、次に、材料の架橋によって互いに接続されなければならない別々の第１の伸縮性ウェブ１００および第２の伸縮性ウェブ１００の形成を必要としないので、図１から図３の製造方法と比較して、いくつかの点でより効率が良い。弾性糸５００、５０２の未付着の突出している部分を切り落とす方法は複雑である。すなわち、第１のプレスカッタ６０５および第２のプレスカッタ６０５’は、図１から図３の方法および装置においてされ得るような実行ドラム６２０の外面に対して連続的に押し付けることはできない。その理由は、これによって、伸縮性ウェブ１００がクロス機械方向ＣＤに３つのパーツに分割されるからである。したがって、第１のプレスカッタ６０５および第２のプレスカッタ６０５’は、弾性糸５００、５０２の未付着の突出している部分を切断し、弾性糸５００の未付着の突出している部分と弾性糸５０２の未付着の突出している部分との間で積層体を機械方向ＭＤに切断されていないままに間欠的にしておくように、伸縮性糸と同期してドラム６２０の外面に対して間欠的に押し付けられる。これによって、吸収性物品を製造するための効率の良い方法および装置が可能になるが、間欠的なプレスカッタ６０５、６０５’は、弾性糸５００、５０２が切断された第１のウェブ３００の中にスリットがあるままにしておく。このスリットは、常に望ましいとは限らない。
【００１９】
したがって、本発明の別の目的は、ウェブが支持面に対して押し付けられ、ウェブ自体も切断されることなく材料を切り取るためにナイフエッジの下に延びるやり方で、ウェブに付着された材料をウェブから切り取るための方法および装置を提供することである。
【課題を解決するための手段】
【００２０】
上記の目的に鑑みて、本発明は、吸収性物品を製造する方法においてウェブから材料を切り取る方法を提供し、この切り取る方法は、
このウェブを送出し、このウェブを支持面に対して保持するステップと、
ウェブが支持面に対して送出されるにつれて、切り落とされるべき材料を、支持面から上昇し、ウェブに対して上昇した状態にしておくステップと、
ウェブから上昇した材料を支持面から離隔されたブレードにより切り取るステップと
を含む。
【００２１】
支持面（ドラムなど）に送出され、支持面に対して保持されるウェブを切断する従来の手法は、回転刃のブレードを支持面すなわちドラム表面に対して押し付けることであろう。これは、ウェブから切断されている材料が、その厚さを通して支持面またはそのアンビル（ａｎｖｉｌ）部分に対して押し付けられるブレードによって完全に切断されない場合があるので、問題であることがある。非常に一般的な弾性糸は、Ｌｙｃｒａ（登録商標）タイプである。これらの糸はマルチフィラメント糸である。このような糸を切断するとき、１つ（または少数）のフィラメントが切断されないままであることが時折発生する。したがって、不成功な切断という結果になることがある。切断に関するこの問題は、切断される材料が弾性層である場合に特に一般的である。その理由は、弾性特性は、ブレードまたはナイフの縁部のまわりで層を変型させて、弾性層が完全に切断されるとは限らないというリスクを増加させる傾向があるからである。さらに、ブレードを支持面に対して押し付けることはブレードを摩耗させる傾向があり、その結果、ブレードを鋭利にすることまたはブレードを新しいブレードに交換することに関するブレードの望ましくない頻繁なメンテナンスが発生することがある。
【００２２】
本発明の方法によれば、切断されるべき材料は支持面より離隔される状態に保持され、ブレードは上昇された材料の送出経路に置かれ、したがって、材料がブレードを通過するときに材料が切断され、ナイフエッジは支持面から離隔されたままであることが可能である。したがって、材料はウェブから正常に切断され、ブレードは、過度の摩耗を回避するために支持面と接触させないままである。
【００２３】
上記から明白であるように、切り落とされるべき材料がウェブに付着された弾性層の一部であることが本発明の好ましい特徴である。
【００２４】
好ましくは、ナイフブレードが、支持面に向かって上昇された材料の厚さ方向に上昇された材料を越えて突出するが支持面からまだ離隔され、それによって切り落とされるべき材料の厚さ全体をナイフエッジが貫通する。したがって、ナイフエッジまたはブレードは、材料の厚さを通って自由空間に延びる。ブレードの間隔は、支持面に垂直な方向にある。すなわち、支持面は、支持面に垂直な方向にブレードの真下に配置される。
【００２５】
好ましい一実施形態では、上昇された材料は、上昇された材料が支持面に垂直な方向に支持面より上に位置決めされるように支持面のクロス機械延長によりクロス機械（ウェブの機械方向送出に対して）方向に延びる。
【００２６】
好ましくは、支持面より上に上昇された材料を保持するために上昇要素が使用され、したがって、ナイフブレードが上昇要素の上を機械方向に通過するとき、ナイフブレードが上昇された材料を切る。
【００２７】
この特徴は、切断成功を確保するために切取り中に上昇された材料が押し付けられ得る支持ブロックを提供する。
【００２８】
好ましくは、ブレードは、ウェブのクロス機械方向に上昇要素に隣接して位置決めされる。
【００２９】
さらにより好ましくは、上昇された材料が上昇要素に対してピンと張った状態に保持され、したがって、ブレードは、ピンと張った上昇された材料を切る。ピンと張った材料切断することによって、切断成功の見込みが改良される。
【００３０】
好ましくは、ウェブは、機械方向における支持面の対応する動きによって機械方向に送出される。
【００３１】
支持面は、好ましくは、上昇要素に対して機械方向に動く。好ましくは、上昇要素は支持面から離隔され、したがって、第１のウェブも、上昇要素から離隔された関係で、その下を通過することが可能である。好ましくは、上昇要素は、１ｍｍから１０ｍｍの間の距離だけ支持面から材料に間隔をあけるような大きさにされる。
【００３２】
さらに好ましい実施形態では、材料は、クロス機械方向の自由端側と、ウェブに付着される側とを有する。好ましい一実施形態では、材料は、支持面と共に動く把持手段によって把持され、したがって、切断されるべきウェブおよび材料は共に動く。把持手段は、上昇された材料がブレードによって切断されるとき、上昇された材料をピンと張った状態に保つことができる。把持手段は、クランプの形をとることができ、その支持面側および対向する側を挟み付けるが依然としてウェブと共に機械方向に動く。好ましくは、材料は、上昇要素に対してピンと張った状態に保持されるほど挟み付けられる。
【００３３】
好ましい一実施形態では、把持手段は、ウェブに対して上昇された位置に材料を把持するとき、ウェブに載るかまたはウェブからわずかに離隔される。言い換えれば、ウェブは、支持面に垂直な方向に、把持手段たとえば第１のベルトと支持面の間に配置される。好ましくは、把持手段は、それらの間に材料を把持する第１のベルトおよび第２のベルトを備える。好ましくは、ウェブは、第１のベルトと支持面の間に配置される。
【００３４】
好ましい一実施形態では、上昇された材料は、支持面から材料をピンと張るように上昇するために、第１の上昇要素および第２の上昇要素にまたがり、それによって、ナイフエッジが上昇された材料を切り取るように上昇要素同士の間に配置される。このような架橋された材料の切断は切断成功を確保することが見出されている。
【００３５】
好ましくは、第１の上昇要素は上記で説明する上昇要素であり、第２の上昇要素は、上記で説明する把持手段、たとえば把持手段の第１のベルトである。
【００３６】
好ましい一実施形態では、支持面から材料を上昇するための上昇要素が、材料がそれより上を移動するときウェブがその下を移動可能であるように配置され、それによってウェブから材料を上昇し、したがって、下にあるウェブを切断することなくナイフブレードによって材料を切り落とすことができる。好ましい一実施形態では、方法は、好ましくはウェブが機械方向に上昇要素に対して動くようなやり方で、支持面の上で上昇要素の下にウェブを送出するステップと、ウェブから上昇要素により切断されるべき材料を上昇し、それによって、支持面およびウェブから離隔された、上昇された材料の厚さを通って自由空間に延びることによって、ブレードがウェブから上昇された材料を切り取るステップとを含む。前述の内容における「の下に」および「離隔された」という用語は、支持面に垂直な方向との関連で理解されたい。ウェブおよび支持面は、クロス機械方向にブレードと一致する。すなわち、ウェブおよび支持面は、少なくとも、ブレードの下にある位置までクロス機械方向に延びる。
【００３７】
本発明のこの実施形態によれば、支持面に沿ってウェブを切断したり、または支持面に沿ったウェブの移動を別の方法で物理的に介入したりすることなく、支持面に対して平坦にウェブを保持しながら切取り材料を切り落とすことが可能である。
【００３８】
言い換えれば、材料がウェブおよび支持面から上昇されて保持されるので、ブレード縁部は、材料の厚さを通って支持面に向かって突出するが、ウェブから離隔された位置までのみ突出する。
【００３９】
上昇要素の配置は、ウェブが支持面上の上昇要素の下を通過できるので、ナイフブレードが下にあるウェブを切断することなくウェブが上昇要素およびナイフブレードの下でクロス機械方向に延びるときでも、切取り装置に、材料たとえば弾性糸を切断させることができる。これは、図４および図５を参照して上記で開示した構成と比較して有利であり、下にあるウェブに間欠的に切れ目が入れられる。支持面に対する上昇要素のこの離隔された配置は、上昇要素の下を通過するほど広くないより狭いウェブと共にクロス機械方向に使用することもできる。
【００４０】
好ましい一実施形態では、ウェブは、上昇要素（ウェブが支持面に垂直な方向に上昇要素と支持面との間にあるように）および把持手段の下を移動し、それによって、把持手段が、支持面に対して上昇された位置にある材料を上昇要素に対してピンと張った状態に保持し、ブレードは、支持面および下にあるウェブからまだ離隔されたままである材料を切り開くように、クロス機械方向に上昇要素と把持手段の間に配置され、それによって、ウェブ把持手段および支持面は、上昇要素およびブレードに対して機械方向に対応して動き、したがって、材料およびウェブが機械方向に動き、したがってウェブがブレードと接触するので、上昇された材料はウェブから切り落とされる。
【００４１】
好ましくは、切断されるべき材料は支持面から上げられるので、ウェブは、支持面に対して平坦に維持されるままである。
【００４２】
本発明の切取り方法は、ウェブが互いに機械方向に分離された別個の弾性部分を備え、最終的に、吸収性物品の脚部弾性体を提供するように、好ましくは、弾性層、好ましくは弾性糸をウェブから切り取ることに関連して使用される。
【００４３】
本発明の一態様では、吸収性物品を製造する方法において伸縮性ウェブを製造する方法が提供され、この伸縮性ウェブは、伸縮性ウェブの機械方向すなわち長手方向に互いに分離された別個の弾性部分を有し、この方法は、
機械方向に支持面上に支持された第１のウェブを送出するステップと、
第１のウェブに沿って機械方向に波状経路を画定するように、第１のウェブに弾性層を部分的に付着するステップと、
弾性層の未付着部分を把持するステップと、
支持面から上昇された位置に未付着部分を保持するステップと、
弾性層の前記未付着部分が、把持され、上昇され、第１のウェブと共に機械方向に動く間、支持面からまだ離隔されている支持面に向かって層の上昇された部分の厚さを通って突出するブレードまたはナイフエッジを使用して、弾性層の未付着部分を切り取り、それによって、弾性層を互いに機械方向に分離された別個の部分に切断するステップと
を含む。
【００４４】
これによって、ナイフエッジが弾性層を通って突出するので弾性層の未付着部分の切断成功が保証されるが、ナイフエッジは支持面に押し付けられて走行しないので、メンテナンスの少ないナイフエッジが保証される。さらに、未付着部分が支持面から上げられても、ウェブは、有利には、支持面に対して平坦に保持されるままである。
【００４５】
好ましくは、第２のウェブが、第１のウェブと第２のウェブの間に弾性層の付着部分を挟むように、かつ前記未付着部分が、上記の方法に従って把持され、上昇され、および切り落とされるべき積層体から第１のウェブ、第２のウェブ、または両方に対してクロス機械方向に突出するように、前記第１のウェブに積層される。
【００４６】
このような伸縮性積層体は、好ましくは、吸収性物品の前面ウエスト領域または背面ウエスト領域または両方を形成するために使用される。別個の弾性部分は、好ましくは、最終的に、前面脚部弾性体または背面脚部弾性体または両方の脚部弾性体を提供するような形状および配置にされる。したがって、弾性層は、好ましくは、吸収性物品の脚部弾性体を形成するための複数の弾性糸の形をとる。
【００４７】
材料切取り方法に関して上記で説明した特徴のすべては、本発明の本態様に当てはまる。
【００４８】
ウェブから材料を切り取るための装置であって、
動く支持面に対して保持されたウェブを機械方向に送出するための動く支持面と、
ウェブに付着またはその一部である材料を支持面から上昇するための上昇要素と、
上昇された材料が上昇要素によって上昇された位置に保持されるとき、上昇された材料の厚さを通って突出するが支持面からまだ離隔され、それによってウェブから材料を切り取るように配置されたナイフブレードと
を備える装置。
【００４９】
切取りのために材料を上昇することによって、ブレードに支持面から間隔をあけさせることによってナイフブレードの寿命を保証しながら、改良された切断の成功率が可能になる。
【００５０】
さらに好ましい実施形態では、この装置は、切断されるべき材料を動くウェブに対して固定された位置に保持するため、および上昇要素に対してピンと張った材料を上昇された位置に保ち、それによって、ナイフブレードがピンと張った上昇された材料を切り開くために把持手段と上昇要素の間に配置されるための把持手段を備える。把持手段は、真空把持装置または他の既知の手段とすることができるが、好ましくは、材料が保持されるニップをそれらの間に形成する動くベルトである。好ましくは、把持手段は、切り落とされるべき材料を支持面から上昇するための第２の上昇要素を形成し、したがって、材料は、ナイフブレードによるその切取り中、第１の上昇要素および第２の上昇要素の両端にまたがる。あるいは、把持手段は、上昇要素を形成し、それによって材料把持機能と材料上昇機能の両方を実行することができる。
【００５１】
この装置は、好ましくは、弾性層が機械方向に延びてクロス機械方向に波打って波状経路をたどるように、および波状経路のクロス機械方向パーツがウェブに付着され、波状経路のクロス機械方向パーツがウェブに付着されず、それによって上昇要素が弾性層の未付着パーツを上昇するように配置され、ナイフブレードがウェブから弾性層の上昇された、未付着パーツを切り取るように配置され、それによって、ウェブの機械方向に互いに分離された別個の弾性部分を形成するように、第１のウェブに弾性層を部分的に付着する弾性層アプリケータをさらに備える。
【００５２】
好ましい一実施形態では、この装置は、第１のウェブであるウェブと第２のウェブを１つにするように構成された第２のウェブ送出機構と、弾性層と第１のウェブと第２のウェブの積層体サンドイッチを形成し、それによって弾性層の未付着パーツが積層体からクロス機械方向に突出するラミネータとを備える。
【００５３】
さらなる好ましい実施形態では、この装置は、第１のウェブと第２のウェブの間に挟まれた弾性層の付着パーツと、ナイフブレードによって切り取られた、未付着パーツとを有し、それを少なくとも吸収性物品の前面ウエスト領域または背面ウエスト領域に変換し、したがって別個の弾性部分同士の間の機械方向の空間が吸収性の芯に作製され、少なくとも前面ウエスト領域または背面ウエスト領域の股領域およびその両側の弾性部分が吸収性物品の少なくとも前面ウエスト領域または背面ウエスト領域のそれぞれの脚部開口のための脚部弾性体を形成する第１のウェブおよび第２のウェブの積層体を受け取るコンバータを備える。
【００５４】
好ましい一実施形態では、支持面は、回転ドラムの外面によって形成される。
【００５５】
さらなる好ましい実施形態では、切り取られるべき材料が、その厚さをウェブおよび支持面からまだ離隔されたままである上昇された材料の厚さを通って突出するように配置された前記ナイフブレードで切り開くために、ウェブおよび支持面に対して上昇された位置に保持されるように上昇要素の上に配置されるとき、上昇要素は、ウェブが上昇要素の下に配置されて支持面に対して保持されるままであることが可能であるように支持面に対して配置される。好ましい一実施形態では、支持面は、上昇要素に対して機械方向に動くように配置される。
【００５６】
このような切断機構によって、下にあるウェブを通して切断することなく材料を切り落とすことができ、ウェブは、切取り中に支持面に対して平坦に保持されるままとすることができる。したがって、弾性糸の未付着パーツの第１の列および第２の列が上昇されて切り落とされると、第１のウェブは上昇要素の下を通過することができるので、切断機構は、図１から図３を参照して上記で開示されたような方法および装置において、ならびに図４および図５を参照して上記で開示されたような方法および装置においても、弾性糸を成功裏に切り取るために使用することができる。本発明の切断機構は、図４および図５の方法および装置と同様に、弾性糸と間欠的に係合することは要求されず、第１のウェブに間欠的な切れ目を作製することもしない。
【図面の簡単な説明】
【００５７】
【図１】伸縮性ウェブを形成し、それによって、機械方向に延びる弾性糸の連続波が、吸収性物品の脚部弾性体を形成するために機械方向に分離された弾性糸の別個の部分を有する伸縮性ウェブを提供するように、第１のウェブおよび第２のウェブの積層体から突出する部分において切り落とされるための、従来技術による方法および装置を開示する図である。
【図２】伸縮性ウェブを形成し、それによって、機械方向に延びる弾性糸の連続波が、吸収性物品の脚部弾性体を形成するために機械方向に分離された弾性糸の別個の部分を有する伸縮性ウェブを提供するように、第１のウェブおよび第２のウェブの積層体から突出する部分において切り落とされるための、従来技術による方法および装置を開示する図である。
【図３】伸縮性ウェブを形成し、それによって、機械方向に延びる弾性糸の連続波が、吸収性物品の脚部弾性体を形成するために機械方向に分離された弾性糸の別個の部分を有する伸縮性ウェブを提供するように、第１のウェブおよび第２のウェブの積層体から突出する部分において切り落とされるための、従来技術による方法および装置を開示する図である。
【図４】機械方向に延び互いにクロス機械方向に離隔された弾性糸の第１の波および第２の波を形成することによって図１から図３のウェブと異なる伸縮性ウェブを形成するための、従来技術による方法および装置を開示する図である。積層体は、弾性糸の第１の波および第２の波がそれぞれ挟まれる伸縮性ウェブの両側に形成される。第１の弾性糸および第２の弾性糸は、伸縮性ウェブを形成するように、切り取られるべき伸縮性ウェブの中心領域内の積層体から突出し、弾性糸の別個の部分の第１の列および第２の列は、互いに機械方向に分離される。弾性糸の別個の部分の列は、吸収性物品の前面脚部弾性体および背面脚部弾性体をそれぞれ形成することを目的にする。
【図５】機械方向に延び互いにクロス機械方向に離隔された弾性糸の第１の波および第２の波を形成することによって図１から図３のウェブと異なる伸縮性ウェブを形成するための、従来技術による方法および装置を開示する図である。積層体は、弾性糸の第１の波および第２の波がそれぞれ挟まれる伸縮性ウェブの両側に形成される。第１の弾性糸および第２の弾性糸は、伸縮性ウェブを形成するように、切り取られるべき伸縮性ウェブの中心領域内の積層体から突出し、弾性糸の別個の部分の第１の列および第２の列は、互いに機械方向に分離される。弾性糸の別個の部分の列は、吸収性物品の前面脚部弾性体および背面脚部弾性体をそれぞれ形成することを目的にする。
【図６】弾性糸を通してナイフブレードを裏打ち支持面に押し込むことによって弾性糸が切断されるプレスカッタを開示する図である。積層体は支持面に対して保持され、これによって、積層体からプレスカッタに突出する弾性糸が送出される。
【図７】切断ブレードが支持面内の溝に突出することによって弾性糸の厚さを通って自由区間に突出するので、切断率の成功に関する図６の切断機構の改良を開示する図である。
【図８】弾性ストランドおよび積層体の第１のウェブがブレードの下の位置に延びる積層体に適用される図７の切断機構を開示する図である。この第１のウェブは、弾性糸が切断されると溝へと延び、これによって第１のウェブの形が損なわれる。
【図９】本発明の一実施形態による切取り機構を開示する図である。弾性糸は、積層体支持面から上昇され、第１の上昇要素および第２の上昇要素にまたがり、それによって、ブレードが、その下にある支持面と係合することなく弾性糸の厚さを通って、またがり部分において突出する。
【図１０】積層体に適用され、それによって第１の上昇要素および第２の上昇要素の下に支持面に載せるように積層体の第１のウェブが延び、それによってブレードが、第１のウェブおよび支持面と係合することなく、第１の上昇要素および第２の上昇要素にまたがる上昇された弾性糸を通って突出する、図９と同じ切取り機構を開示する図である。
【図１１】それぞれ弾性波の列に隣接して切断するために機械方向に対して並んで配置された、図１０および図１１に示す１対の切断装置を示す図である。
【図１２】下にあるウェブから弾性が上げられる本発明の切断手段を実施するために第１の把持ベルトおよび第３の把持ベルトの経路の必要な修正形態を示す、図４の装置に基づく切断装置の概略図である。
【発明を実施するための形態】
【００５８】
本発明は、支持面に対して保持されたウェブから材料を切り取るための切取り手段および方法を改良することに関する。本発明の切取り手段および方法は、図１から図３および図４と図５を参照して上記で開示されたような伸縮性ウェブならびに国際公開第２０１０／１２６４１５号に開示されているような伸縮性ウェブを製造するための手段および方法において適用するのに特に有用である。したがって、図を参照した例示的な切取り手段および方法の以下の詳細な説明は、従来技術のプレスカッタ６０５、６０５’を、より高い切断成功率を有し、より少ないメンテナンスを必要とするブレードを有し、その下にあるウェブを切断することなく、ウェブから弾性糸を切り落とし可能な新しい切取り手段と交換することに関連して示される。
【００５９】
より具体的には、本発明は、ウェブが、動く支持面上に保持される、好ましくは回転ドラムの外面の形で設けられる、手段および方法を提供する。ウェブは、ウェブの動きの機械方向に連続的な弾性層に付着されている。弾性層、好ましくは少なくとも１つの弾性糸は、機械方向に延びる、波打ったすなわち波状のパターンで形成される。パターンの各反復単位は、クレストパーツとトラフパーツとを備えると見ることができる。クレストパーツは、好ましくは接着剤を使用して、ウェブに付着される。トラフパーツは、ウェブに付着されず、弾性層パターンが機械方向に互いに分離された別個の部分に分けるように切り取られることができ、別個の部分の間の空間は、最終的に、吸収性物品の股領域を形成することが可能であり、空間の両側に形成される傾斜のある（ｃｏｎｔｏｕｒｅｄ）弾性部分は、吸収性物品の脚部弾性体の少なくとも一部を形成することができる。本発明の好ましい実施形態のこの態様は、従来技術の文献国際公開第２０１０／１２６４１５号で知られている。
【００６０】
本開示が関するのは、未付着部分が切り取られるやり方である。本発明の一実施形態によれば、未付着弾性部分は把持され、支持面より上に上げられる。この上げられた部分は、支持面に垂直な方向にブレードの下で動いている支持面から離隔されたままであるように上げられた弾性層の厚さを通って自由空間に突出するように配置されたナイフブレードと接触する。好ましい形態では、この上げられた弾性層は、ナイフブレードで切り取る間に上昇要素によって上げられて保持され、上昇要素の上を弾性層が走行する。把持手段は、切断された、未付着部分を、クロス機械方向にピンと張った状態に保つ。したがって、弾性層は、上昇要素および把持手段にまたがる。ナイフブレードは、弾性層のまたがったパーツに沿って弾性層の厚さを通って自由空間へと延びる。
【００６１】
好ましい形態では、ナイフブレードによって切り取るために弾性層が上昇要素および把持手段によって支持面およびウェブから上に保持されるので、ウェブは、上昇要素および把持手段の下に配置される。ウェブが切取りブレードの下で通過する必要がある上記で説明した図４および図５に記載の伸縮性ウェブを作製する方法および装置では、弾性層がウェブおよび支持面から上昇され、ブレードが弾性層の厚さを通って突出するが下にあるウェブおよび支持面は係合しないので、下にあるウェブには、ブレードによって切れ目が入れられない。
【００６２】
ナイフブレードは、好ましくはウェブおよび弾性層の動きの方向と逆の方向に能動的に回転される（すなわち、回転ブレードは、従来技術と同様に支持面に対して回転することによって受動的に回転されない。回転ブレードは自蔵動力式であり、したがって、支持面の速度と異なる速度で動作することが可能である）回転ブレードであってもよい。
【００６３】
図６は、その上に積層体２を保持させた支持面１を示す。支持面１は、図１から図５に示される回転ドラム６２０などの回転ドラムの外面であってよい。積層体２は、第１のウェブ３、第２のウェブ４、および第１のウェブ３と第２のウェブ４の間に挟まれた弾性糸５の積層体である。したがって、積層体２は、図１から図３に示されるプロセスに従って作製することができ、図１から図３には、第１のウェブ３００、第２のウェブ２００、および第１のウェブ３００と第２のウェブ２００の間に挟まれる弾性糸５００の積層体がある。図１から図３の積層体と同様に、図６の弾性糸５は、少なくとも第１のウェブ３、ならびに図示の実施形態では第１のウェブ３および第２のウェブ４に付着された、機械方向パーツ６を有する。弾性糸はクロス機械方向パーツ７も有し、クロス機械方向パーツ７は、第１のウェブ３および第２のウェブ４に付着されておらず、第１のウェブ３および第２のウェブ４からクロス機械方向に突出する。
【００６４】
把持手段８は、弾性糸５の未付着部分７の切取りの間に、およびその後でしばらく、支持面１上に弾性糸５を保持するように支持面１に弾性糸５の未付着、突出している部分を把持するために設けられる。支持面１および把持手段８は、積層体２および弾性糸５を動かして切取りブレード９に機械方向に通過させるように同じ速度で共に動き、したがって、切取りブレード９は、弾性糸５が突出する積層体２の第１のウェブ３および第２のウェブ４の縁部にクロス機械方向に隣接する位置で弾性糸５を切る。
【００６５】
図６の切断機構は、弾性糸５を切断するためのブレード９を有する回転カッタ１１を備えるプレスカッタである。支持面１は、弾性糸５の未付着部分７を切り開くために回転カッタ１１のブレード９が押し付けられる比較的弾性の材料の裏打ち部分１０を備える。類似のタイプのプレスカッタが、図１から図５の従来技術による方法および装置において使用されるように開示されている。上記で説明したように、特に１つまたは複数のマルチフィラメント糸を切断するときに、それは、弾性糸５のいくつかが切断されていないままであることが望ましいよりも頻繁に行われる。さらに、ブレード９と支持面１の裏打ち部分１０との効果的な相互作用は、ブレードを摩耗させる傾向がある。このような従来技術による切断装置から、本発明が想到された。
【００６６】
糸を越えて入り込み自由空間の中に静止するブレードへと弾性糸を走行させることにより弾性糸を切断することによって、摩耗および切断されていない糸に伴う上記で説明した問題点が克服されることが認識されている。したがって、図７を参照して、図６の切断手段の修正形態が示されている。図６と異なるこれらの特徴について、詳細に説明する。図６を参照して上記で提供された説明は、すべての同じ構成要素に関して図７に当てはまる。
【００６７】
図７の切取り装置は、ブレード９が入り込む溝１２を支持面１が備える点で、図６における切取り装置と異なる。したがって、弾性糸５の未付着部分７は、把持手段８によって支持面１に対して保持され、ブレードは、突出している糸５を越えて溝１２にかなり入り込み（たとえば、支持面１に対して溝に約５ｍｍ入り込み）、それによって成功切断率を増加させる。溝１２は、支持面１が回転ドラムの外周付近に設けられる場合、円周の溝になる。ブレード９は、溝の自由空間の中に着座しており、したがって支持面１と係合しない。したがって、ブレード９の摩耗の率は大きく減少する。カッタ１１は、好ましくは、支持面１の動きの方向に対して逆の回転で動作する回転カッタである。回転カッタは、逆方向に能動的に回転する。ブレードの回転に対する例示的な速度は２０００ｒｐｍである。溝１２の中に着座し静止している静的ブレードなどの他のブレード構成を使用することができる。切断は、ブレード９に対して支持面１および把持手段８と共に動く弾性糸５によって実行される。この種類の例示的な切断機構は、吸収性物品の製造、さらには切断用弾性糸の製造とも異なる技術分野においても、たとえば英国特許第２３２２８２２号明細書から知られている。
【００６８】
図７の切断機構は、好ましい用途では、第１のウェブ３００および第２のウェブ２００の積層体の縁部から突出する弾性糸５００のベルト４０１とベルト４０２の間に保持された、突出している部分を切り取るように、切断ブレード６０５の代わりに図１から図３の手段および方法に組み込まれることを意図することは当業者には理解されよう。すなわち、ドラム６２０は、弾性糸５００がブレード９を通過して溝１２の上で動くとき、回転カッタ１１のブレード９が入って弾性糸５００を切り落とし可能な溝１２を備えることができる。
【００６９】
図７の弾性糸を切り取るための解決策は、弾性切断成功率に関する図６のプレスカッタの改良であるが、この解決策は、図８を参照して論じる不利点を有する。上記の図７の説明は、図８の装置に当てはまる。図８の装置の図７との違いは、ブレード９および溝１２を越えてクロス機械方向に延びる第１のウェブ３を有する積層体と共に使用されていることである。第１のウェブ３を延長した結果、第１のウェブ３はブレードによって溝１２に圧入され、これによって第１のウェブ３の形の損なわれた部分が提供され、第１のウェブ３は均一な支持面１に対して平坦に静止しない。このように第１のウェブ３の形が損なわれることは、多くの場合、吸収性物品の製造において、および他の用途において許容可能ではない。
【００７０】
図８の切断機構が、好ましい用途では、図４および図５の第１の突出している弾性糸部分５００および第２の突出している弾性糸部分５０２を切り取るために切断機構の代わりに使用できることは、当業者には明白であろう。すなわち、第１のプレスカッタ６０５は、図８に示す第１のブレード９および溝１２の配置に置き換えることができ、第２のプレスカッタ６０５’は、図８に示す第２のブレード９および溝１２の配置に置き換えることができる。ウェブ３は第１のウェブ３００に類似しており、支持面１はドラム６２０の外周面に類似している。したがって、図４のドラム６２０は、図５に示されるブレード６０５、６０５’と同じ配置でクロス機械方向に互いに隣接する、その中に突出するブレード９を有する平行な第１の溝１２および第２の溝１２を備える。第１のブレードおよび第２のブレードはそれぞれ、第２のウェブ２００および第３のウェブ７００からクロス機械方向に突出する弾性糸５００、５０２を切り取るためのものである。上述したように、この配置の不利点は、第１のブレード９および第２のブレード９がそれぞれのクロス機械方向の場所で第１のウェブ３００を第１の溝１２および第２の溝１２に圧入させる、機械方向に走行する２つの平行なくぼみにより、第１のウェブの形が損なわれることである。
【００７１】
図９は、本発明による切断手段および方法の一実施形態を示す。図６および図７の手段と同様に、弾性糸５を挟む第１のウェブ３および第２のウェブ４の積層体２が支持面上に送出される。弾性糸は、第１のウェブ３と第２のウェブ４の間に付着され、第１のウェブ３および第２のウェブ４の縁部から機械方向に沿って別個の場所で突出し、機械方向に沿って積層体２の中に別個の伸縮性部分を形成するために切り落とすことが可能である。
【００７２】
積層体２の突出している、未付着部分７を切り取るために、突出している、未付着部分７は、第１のベルト１４および第２のベルト１５の間の第１のウェブおよび第２のウェブの縁部から最も遠位の自由端で把持される。第１のベルト１４および第２のベルト１５は、支持面１（さらに、したがって積層体２も）の機械方向の動きと共に動き、ブレード９で切り取る間に第１のウェブ３および第２のウェブ４の縁部から固定された距離に弾性糸５の突出している部分７を保持する働きをする。さらに、上昇要素１３は、第１のウェブ３および第２のウェブ４のクロス機械方向縁部に直接隣接する場所において、支持面から弾性糸５の突出している部分７を上げるために設けられる。第１のベルト１４および第２のベルト１５はまた、第１の上昇要素１３より第１のウェブ３および第２のウェブ４の縁部から遠位に第１の上昇要素１３からクロス機械方向に離隔された第２の上昇要素１４を提供する働きをする。
【００７３】
第１の上昇要素１３と第２の上昇要素１４の間のクロス機械方向の空間では、ブレード９が、第１の上昇要素１３の上面と第２の上昇要素１４の上面の間に延びる垂直な上昇線を越えて支持面１に向かって突出し、したがって、支持面１から上昇されブレード９を通過して機械方向に動く弾性糸５が切り取られる。好ましい一実施形態では、上昇要素は５ｍｍから１０ｍｍの距離だけ支持面から上げられ、ブレードの底部は、少なくとも２ｍｍだけ支持面より上に、および少なくとも２ｍｍだけ１つまたは複数の上昇要素の上部より下に浮かぶ。上記で説明したように、ブレードは好ましくは回転カッタであり、この回転カッタは、好ましくは、少なくとも２０００ｒｐｍの速度で弾性糸の動きの方向と逆方向に回転するが、静止しているカッタであってもよい。
【００７４】
図１から図３を参照すると、図９の切断機構は、好ましくは、第１のウェブ２００および第２のウェブ３００の積層体から突出する弾性糸５００を切り取るように用いられる。すなわち、糸５００は、ベルト４０１、４０２に類似したベルト１４とベルト１５の間に把持されるが、図１に示す回転ドラム６２０によって設けられた支持面１から上げられる。上昇要素１３は、第１の弾性ウェブ２００および第２の弾性ウェブ３００の縁部２０３、３０３に隣接する位置において支持面１から突出している弾性糸５００を上げるように据え付けられる。回転カッタ１１は、上昇要素１３とベルト１４、１５の間のクロス機械方向の空間の中にカッタ６０５の代わりに据え付けられ、上昇された弾性糸５００を越えて支持面に向かって突出して、第１のウェブ２００および第２のウェブ３００の積層体から弾性糸５００を切り取る。ブレード９は、支持面１より上に浮かんで自由空間に突出する。このような切断配置によって、弾性糸５００の切断成功が保証される。
【００７５】
図１０の切断装置は、図９における切断装置と同じであるが、異なる方法で使用される。より具体的には、第１のウェブ３は、上昇要素および第１のベルト１４および第２のベルト１５の下に配置され、したがって、弾性糸５は、第２のウェブ４のクロス機械方向縁部から突出する。したがって、第２のウェブ４の縁部に隣接して配置された上昇要素１３は、支持面１に対して平坦に保持された第１のウェブ３から弾性糸５の突出している部分７を上げ、把持手段１４、１５の第１のベルト１４によって形成された第２の上昇要素１４も突出している部分７を上げる。このようにして、上昇要素１３および上昇要素１４は、支持面１に垂直な方向に、第１のウェブ３と弾性糸５の未付着部分７の間に配置される。図９および図１０の切取り手段は、自由空間の中に浮かぶブレードにより切断されるべき材料の厚さを通してブレード９を突出させることによって、図６の切取り手段の改良された切断成功率という利点を可能にする。別の利点は、平坦な支持面１に対して均等に第１のウェブ３を支持させることである。
【００７６】
図１０の切断手段および方法は、好ましくは、図４および図５の切取り機構の代わりに適用される。図１０の切断手段および方法を適用するために、第１のこのような切断手段および第２のこのような切断手段を据え付けて図４および図５の切断ローラ６０５、６０５’を置き換えることが必要とされる。したがって、図１１を参照すると、第１の把持ベルト１４と第２の把持ベルト１５の間および第３の把持ベルト１４’と第４の把持ベルト１５’の間にそれぞれ把持された第１のスレッディング（ｔｈｒｅａｄｉｎｇ）５および第２のスレッディング５’を切り取るように構成された第１のナイフブレード１１および第２のナイフブレード１１’が示されている。第１のウェブ３は、支持面１上に支持される。第２のウェブ４および第３のウェブ４’は、第１のウェブ３００の中心領域の中で離隔されるようにクロス機械方向に第１のウェブ３の対向する側面にそれぞれ積層される。第１の弾性層５および第２の弾性層５’、たとえば第１のマルチフィラメント弾性糸および第２のマルチフィラメント弾性糸は、それぞれ第２のウェブ４および第３のウェブ４’の縁部から中心領域に突出する。第１の弾性スレッディングおよび第２の弾性スレッディングがそれぞれ第１の把持手段１４、１４’および第２の把持手段１５、１５’によって把持され、それぞれ第１の上昇要素１３、１３’および第２の上昇要素１４、１４’（把持手段１４、１５、１４’、１５’の第１のベルト１４、１４’によって形成された）によって上昇され、上昇要素１３、１４、１３’、１４’を架橋する部分で第１の弾性糸５および第２の弾性糸５’の厚さを通ってそれぞれ突出するナイフブレード１１、１１’によってそれぞれ切断されるのは、中心領域の中である。注目に値するのは、把持ベルト１４、１５、１４’、１５’および第１の上昇要素１３、１３’は、これらの下を第１のウェブ３が通過するように支持面に対して配置されることである。この特徴によって、弾性糸５、５’は、支持面１から上げられることが可能になるだけではなく、第１のウェブ３が支持面１に平坦に置かれるのを妨げずに、第１のウェブ３から上げられることも可能になる。
【００７７】
図４および図５ならびにそれに対する図１０および図１１の切断手段および方法の適用に戻ると、弾性糸５００、５０２の対向する突出する部分はそれぞれ、図１０に示す第１の切取り装置および図１１に示すように配置された図１０に示す第２の切取り装置を使用して切り取られる。したがって、図１０の第１の切取り装置は、第１のウェブ３００および第２のウェブ２００の積層体から突出する弾性部分５００上で動作し、図１０の第２の切取り装置は、図１１に示される配置による第１のウェブ３００および第３のウェブ７００の積層体から突出する弾性糸５０２上で動作するように第１の切取り装置に隣接して配置される。対向する第１の把持ベルト１４および第２の把持ベルト１５はそれぞれ、第１のウェブ３００より上に上昇された位置で第１の弾性糸５００の突出している部分を把持し、第３の把持ベルト１４’および第４の把持ベルト１５’は、第１のウェブ３００から上昇された位置で第２の弾性糸５０２の突出している部分を把持する。支持面１または回転ドラム６２０の外周および第１のウェブ３００が第１の上昇要素１３および第２の上昇要素１３’に対して動くように固定して保持される対向する第１の上昇要素１３および第２の上昇要素１３’は、第２のウェブ２００および第３のウェブ７００の中心縁部２０３、７０３に隣接して配置され、第１の弾性糸５００および第２の弾性糸５０２の突出している部分をそれぞれ上昇する働きをする。
【００７８】
ベルト１４、１５、１４’、１５’は、回転ドラムの外周支持面と共に動き、それによって、把持ベルト１４、１５、１４’、１５’は第１のウェブの上に着座し、したがって、把持ベルト１４、１５、１４’、１５’はすべて、その間で機械方向に相対的に動かずに一緒に動く。第１の上昇要素１３、１３’は、回転ドラム６２０の動く支持面に対して固定して保持され、したがって、第１のウェブ３００は、好ましくは第１の上昇要素が第１のウェブ３００より上にわずかに離隔されるように、支持面の下で比較的動く。弾性糸５００、５０２はそれぞれ、上昇要素１３、１３’および把持手段１４、１５、１４’、１５’の上昇要素１４、１４’を架橋し、把持手段１４、１５、１４’、１５’は、ピンと張った状態に弾性糸５００、５０２の橋を保持する。逆回転するブレード９、９’はそれぞれ、弾性糸５００、５０２の橋の厚さを通して、上昇要素１３、１４および１３’、１４’ならびに支持面１によって形成される空洞の中で画定される自由空間に突出し、機械方向に動いてブレード９、９’と係合するとき、ウェブ３００、２００、７００から糸５００、５０２を切り取る。
【００７９】
図４の切断装置のさらなる修正形態（図９、図１０、および図１１を参照して上記で説明した上昇および切取り手段の配置は別として）が図１２に示されている。図４を参照すると、第１の把持ベルト４０２および第３の把持ベルト４０４は第１のウェブ３００の回転ドラム側上に配置され、したがって、第１のベルト４０１および第２のベルト４０２はそれらの間に第１のウェブおよび第１の弾性糸５００を把持し、第３のベルト４０３および第４のベルト４０４はそれらの間に第１のウェブおよび第２の弾性糸５０２を把持することが分かる。しかし、本発明の好ましい実装形態では、第１のベルトおよび第３のベルトが第１のウェブ３００から弾性糸５００、５０２を上げることが必要とされる。弾性糸５００、５０２を上げるために、好ましい一実施形態では、図１２に示すように、第１のベルト１４および第３のベルト１４’は支持面１に送出され、第１のウェブ３００より上に第１のウェブ３００と弾性糸５００、５０２の間に配置されるように第１のウェブ３００の他方の側で回転ドラム６２０の支持面１に配置される。
【００８０】
図１２では、それらの間にニップ４００を形成する第１のローラ１０００および第２のローラ１００２が示されており、ニップ４００では、第１のウェブ３００、第２のウェブ２００、および第３のウェブ７００、および弾性糸５００、５０２が一緒に積層される。図１２で分かるように、第１のベルト１４および第３のベルト１４’の送出は、第１のローラ１０００と第２のローラ１００２の間を通過するように構成され、したがって、弾性糸５００、５０２ならびに第２のウェブ２００および第３のウェブ７００は第１のベルト１４および第３のベルト１４’の一方の側にあり、第１のウェブは第１のベルト１４および第３のベルト１４’の他方の側に配置される。次に、弾性糸５００、５０２が第１のローラ１０００と第２のローラ１００２の間の積層ニップ４００および第２のローラ１００２とドラム６２０の間のニップを通過するとき、弾性糸５００、５０２はそれぞれ、第１のベルト１４と第２のベルト１５の間および第３のベルト１４’と第４のベルト１５’の間に把持される。したがって、弾性糸５００、５０２が上昇された位置にあるとき、ベルト１４、１５、１４’、１５’は、第１のウェブ３００から切り取るために、第１のウェブ３００に対して、およびドラム６２０の支持面１に対して弾性糸５００、５０２を上げることが可能である。これは、図４の従来技術の配置と比較することができる。対向するベルト４０１、４０２、４０３、４０４の間に弾性糸５００、５０２を挟むことによって第１のベルトおよび第２のベルト４０１、４０２、４０３、４０４が第１のウェブ３００に弾性糸５００、５０２を挟むので、図４の従来技術の配置は、第１のウェブ３００から糸５００、５０２を独立して動かすことができない。好ましくは、第２のローラ１００２は、ニップの中に第１のベルト１４および第２のベルト１５ならびに第２のベルト１４’および第３のベルト１５’をそれぞれ収容するために円周スロット（図示せず）を備え、第１のローラ１０００は、第１のウェブ３００の平面および第１のローラ１０００の支持面に突出さない。
【００８１】
上記の詳細な説明は、本発明の一般的な概念の例示的な実装形態を提供し、その概念は、添付の特許請求の範囲において定義される。
【符号の説明】
【００８２】
１  支持面
２  積層体
３  ウェブ
４  ウェブ
４’  ウェブ
５  弾性糸、弾性層、スレッディング
５’  弾性糸、弾性層、スレッディング
６  機械方向パーツ
７  クロス機械方向パーツ、未付着部分
８  把持手段
９  切取りブレード
９’  ブレード
１０  裏打ち部分
１１  回転カッタ、ナイフブレード
１１’  ナイフブレード
１２  溝
１３  上昇要素
１３’  上昇要素
１４  上昇要素、把持手段、把持ベルト
１４’  上昇要素、把持手段、把持ベルト
１５  把持手段、把持ベルト
１５’  把持手段、把持ベルト
２００  ウェブ
２０３  縁部
３００  ウェブ
３０３  縁部
４００  ニップ
４０１  ベルト
４０２  把持ベルト
４０４  把持ベルト
５００  弾性糸
５０２  弾性糸
６０５  切断ローラ、切断ブレード、カッタ
６０５’  切断ローラ、プレスカッタ
６２０  ドラム
７００  ウェブ
１０００  ローラ
１００２  ローラ
【図１】
2018138220.tif 000003
【図２】
2018138220.tif 000004
【図３】
2018138220.tif 000005
【図４】
2018138220.tif 000006
【図５】
2018138220.tif 000007
【図６】
2018138220.tif 000008
【図７】
2018138220.tif 000009
【図８】
2018138220.tif 000010
【図９】
2018138220.tif 000011
【図１０】
2018138220.tif 000012
【図１１】
2018138220.tif 000013
【図１２】
2018138220.tif 000014
【手続補正書】
【提出日】平成30年6月19日(2018.6.19)
【手続補正１】
【補正対象書類名】特許請求の範囲
【補正対象項目名】全文
【補正方法】変更
【補正の内容】
【特許請求の範囲】
【請求項１】
実質的に明細書に記載され、且つ図面に示された装置。
【外国語明細書】
2018138220000001.pdf